(57)【要約】【課題】動作モード中でもバッテリの充電を継続できるようにした携帯型電子機器及び充電制御方法を提供する。【解決手段】携帯型電子機器は、外部電源の入力の有無を判定する第１判定手段（６９）と、自機器内部に設けられている電子回路の動作／非動作を判定する第２判定手段（７３）と、前記第１判定手段で前記外部電源有が判定され、且つ、前記第２判定手段で前記電子回路の非動作が判定されているときには、前記外部電源のほぼ全電流を用いてバッテリを充電する一方、前記第１判定手段で前記外部電源有が判定され、且つ、前記第２判定手段で前記電子回路の動作が判定されているときには、前記外部電源の電流量から前記電子回路の動作に必要な電流量を差し引いた残余の電流を用いてバッテリを充電するバッテリ充電手段（７０）とを備える。【選択図】  図５
2007209055.tif 000002
【特許請求の範囲】
【請求項１】
外部電源の入力の有無を判定する第１判定手段と、
自機器内部に設けられている電子回路の動作／非動作を判定する第２判定手段と、
前記第１判定手段で前記外部電源有が判定され、且つ、前記第２判定手段で前記電子回路の非動作が判定されているときには、前記外部電源のほぼ全電流を用いてバッテリを充電する一方、前記第１判定手段で前記外部電源有が判定され、且つ、前記第２判定手段で前記電子回路の動作が判定されているときには、前記外部電源の電流量から前記電子回路の動作に必要な電流量を差し引いた残余の電流を用いてバッテリを充電するバッテリ充電手段と
を備えたことを特徴とする携帯型電子機器。
【請求項２】
前記電子回路の動作は、外部機器との間で行われるデータ転送であることを特徴とする請求項１記載の携帯型電子機器。
【請求項３】
前記携帯型電子機器は、携帯テレビであって、前記電子回路の動作は、テレビジョン放送の受信再生動作であることを特徴とする請求項１記載の携帯型電子機器。
【請求項４】
前記携帯型電子機器は、デジタルカメラであって、前記電子回路の動作は、撮影済み画像の再生動作であることを特徴とする請求項１記載の携帯型電子機器。
【請求項５】
前記携帯型電子機器は、携帯電話機であって、前記電子回路の動作は、待ち受け動作、着信動作または通話動作であることを特徴とする請求項１記載の携帯型電子機器。
【請求項６】
外部電源の入力の有無を判定する第１ステップと、
自機器内部に設けられている電子回路の動作／非動作を判定する第２ステップと、
前記第１ステップで前記外部電源有が判定され、且つ、前記第２ステップで前記電子回路の非動作が判定されているときには、前記外部電源のほぼ全電流を用いてバッテリを充電する一方、前記第１ステップで前記外部電源有が判定され、且つ、前記第２ステップで前記電子回路の動作が判定されているときには、前記外部電源の電流量から前記電子回路の動作に必要な電流量を差し引いた残余の電流を用いてバッテリを充電する第３ステップと
を含むことを特徴とする充電制御方法。
【請求項７】
コンピュータに、
外部電源の入力の有無を判定する第１ステップと、
自機器内部に設けられている電子回路の動作／非動作を判定する第２ステップと、
前記第１ステップで前記外部電源有が判定され、且つ、前記第２ステップで前記電子回路の非動作が判定されているときには、前記外部電源のほぼ全電流を用いてバッテリを充電する一方、前記第１ステップで前記外部電源有が判定され、且つ、前記第２ステップで前記電子回路の動作が判定されているときには、前記外部電源の電流量から前記電子回路の動作に必要な電流量を差し引いた残余の電流を用いてバッテリを充電する第３ステップとを実行させるプログラム。
【発明の詳細な説明】
【技術分野】
【０００１】
本発明は、携帯使用されると共に、充電用または充電兼用載置台（以下、クレードルという）にセットした状態でも使用可能な、たとえば、デジタルカメラ、携帯テレビ、携帯型画像再生装置、画像再生機能付き携帯電話機、携帯情報端末、携帯型小型パーソナルコンピュータ等の携帯型電子機器に関し、詳細には、クレードルにセットした状態で使用中でも、バッテリの充電を継続できるように改良した携帯型電子機器、充電制御方法及びプログラムに関する。
【背景技術】
【０００２】
一般的にデジタルカメラ等の携帯型電子機器は、充電型のバッテリ（二次電池）で動作する。バッテリの充電は大別して、ＡＣアダプタからのケーブルを直接、携帯用電子機器に接続して行うものと、クレードルと呼ばれる充電用またはパーソナルコンピュータとのインターフェース兼用の載置台を介して行うものとがある。以下、後者の充電方式を採用する携帯型電子機器について説明する。
【０００３】
多くの携帯型電子機器は、携帯使用は勿論のこと、クレードルに載置した状態でも使用することができるようになっている。たとえば、デジタルカメラの場合には、クレードルにセットしたままで画像の再生やパーソナルコンピュータへの画像の転送をできるようになっており、こうした携帯型電子機器の付属品（またはオプション品）には、ＡＣアダプタとクレードルが含まれる。
【０００４】
ここで、ＡＣアダプタとは、商用電源（我が国では単層交流の１００Ｖ）から所定電流且つ所定電圧の外部電源を作り出すための電子部品である。ほとんどの携帯型電子機器に付属するＡＣアダプタは、小型軽量で、しかも、その携帯型電子機器に必要とされる最低限の電流供給能力（したがって、安価な）しか持たない。
【０００５】
その理由は、主にコスト面からの要求にある。すなわち、比較的安価に入手できる小出力タイプのＡＣアダプタ（たとえば、出力電流５５０ｍＡのもの）に比べて、大出力タイプのＡＣアダプタ（たとえば、出力電流９００ｍＡのもの）は、容積と価格が数倍にも及び、コスト競争が熾烈な携帯型電子機器の分野においては、到底採用できないからである。
【０００６】
たとえば、下記の非特許文献１には、上記の小出力タイプに相当するＡＣアダプタを付属した液晶デジタルカメラに関する使用上の注意事項が記載されている。それによれば、「スライドショー中は電池の充電ができません。充電する場合はスライドショーを終了してください。」と記されている。
【０００７】
この注意事項は、当該デジタルカメラに付属するＡＣアダプタの出力電流では、スライドショー（撮影済み画像を順次に再生表示する動作モード）に必要な電流とバッテリの充電に必要な電流とをまかないきれないことを示唆しており、これは、動作モード優先の仕様（動作モード実行中はバッテリ充電を停止する仕様）になっていることを暗示している。
【０００８】
【非特許文献１】「ＥＸＩＬＩＭ  ＥＸ−Ｚ３  取扱説明書」カシオ計算機株式会社、７１頁の左下注記参照
【発明の開示】
【発明が解決しようとする課題】
【０００９】
上記のように、非特許文献１に記載のものあっては、動作モード優先の仕様、すなわち、スライドショー等の動作モード実行中はバッテリの充電を行わない仕様になっているので、動作モードを終了しない限りバッテリの充電が再開されないから、結局、バッテリ充電の待ち時間が長くなって当該携帯型電子機器の利便性（携帯使用）を阻害するという問題点がある。
【００１０】
そこで、本発明は、動作モード中でもバッテリの充電を継続できるようにした携帯型電子機器を提供することにある。
【課題を解決するための手段】
【００１１】
請求項１記載の発明は、外部電源の入力の有無を判定する第１判定手段と、自機器内部に設けられている電子回路の動作／非動作を判定する第２判定手段と、前記第１判定手段で前記外部電源有が判定され、且つ、前記第２判定手段で前記電子回路の非動作が判定されているときには、前記外部電源のほぼ全電流を用いてバッテリを充電する一方、前記第１判定手段で前記外部電源有が判定され、且つ、前記第２判定手段で前記電子回路の動作が判定されているときには、前記外部電源の電流量から前記電子回路の動作に必要な電流量を差し引いた残余の電流を用いてバッテリを充電するバッテリ充電手段とを備えたことを特徴とする携帯型電子機器である。
請求項２記載の発明は、前記電子回路の動作は、外部機器との間で行われるデータ転送であることを特徴とする請求項１記載の携帯型電子機器である。
請求項３記載の発明は、前記携帯型電子機器は、携帯テレビであって、前記電子回路の動作は、テレビジョン放送の受信再生動作であることを特徴とする請求項１記載の携帯型電子機器である。
請求項４記載の発明は、前記携帯型電子機器は、デジタルカメラであって、前記電子回路の動作は、撮影済み画像の再生動作であることを特徴とする請求項１記載の携帯型電子機器である。
請求項５記載の発明は、前記携帯型電子機器は、携帯電話機であって、前記電子回路の動作は、待ち受け動作、着信動作または通話動作であることを特徴とする請求項１記載の携帯型電子機器である。
請求項６記載の発明は、外部電源の入力の有無を判定する第１ステップと、自機器内部に設けられている電子回路の動作／非動作を判定する第２ステップと、前記第１ステップで前記外部電源有が判定され、且つ、前記第２ステップで前記電子回路の非動作が判定されているときには、前記外部電源のほぼ全電流を用いてバッテリを充電する一方、前記第１ステップで前記外部電源有が判定され、且つ、前記第２ステップで前記電子回路の動作が判定されているときには、前記外部電源の電流量から前記電子回路の動作に必要な電流量を差し引いた残余の電流を用いてバッテリを充電する第３ステップとを含むことを特徴とする充電制御方法である。
請求項７記載の発明は、コンピュータに、外部電源の入力の有無を判定する第１ステップと、自機器内部に設けられている電子回路の動作／非動作を判定する第２ステップと、前記第１ステップで前記外部電源有が判定され、且つ、前記第２ステップで前記電子回路の非動作が判定されているときには、前記外部電源のほぼ全電流を用いてバッテリを充電する一方、前記第１ステップで前記外部電源有が判定され、且つ、前記第２ステップで前記電子回路の動作が判定されているときには、前記外部電源の電流量から前記電子回路の動作に必要な電流量を差し引いた残余の電流を用いてバッテリを充電する第３ステップとを実行させるプログラムである。
【発明の効果】
【００１２】
本発明によれば、携帯型電子機器のバッテリを外部電源で充電することができると共に、その携帯型電子機器が動作中には、前記外部電源の電流量から当該動作に必要な電流量を引いた残余の電流でバッテリの充電を継続することができる。したがって、動作モード中でもバッテリの充電を継続できるようにした携帯型電子機器を提供することができ、当該携帯型電子機器の利便性（携帯使用）を阻害することがない。
【発明を実施するための最良の形態】
【００１３】
以下、本発明の実施形態を、デジタルカメラへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１４】
図１は、本実施形態のデジタルカメラ１０の正面図及び背面図である。この図において、デジタルカメラ１０は、携帯に適した形状（ここでは箱形）のカメラボディ１１の前面に沈胴式のレンズ鏡筒１２、ストロボ発光窓１３及びファインダ前面窓１４などを配置すると共に、カメラボディ１１の上面に電源スイッチ１５及びシャッターボタン１６などを配置し、さらに、カメラボディ１１の背面にファインダ後面窓１７、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３及び液晶モニタ２４などを配置し、加えて、カメラボディ１１の底面にクレードル接続端子２５と蓋２６とを設けている。蓋２６を開くことによってカメラボディ１１の内部に実装されたバッテリ２７や、カード型メモリやカード型ハードディスクなどの大容量の外部メモリ２８を着脱できるようになっている。
【００１５】
図２は、デジタルカメラ１０とクレードル２９との接続状態図である。この図において、クレードル２９には、デジタルカメラ１０を載置（セットともいう）するための窪み３０が形成されており、その窪み３０の所定位置にはコネクタ３１が設けられている。窪み３０にデジタルカメラ１０をセットすると、デジタルカメラ１０の底面に設けられているクレードル接続端子２５（図１参照）と、上記のコネクタ３１とが接続されるようになっている。
【００１６】
また、クレードル２９には、いくつかの操作ボタン（たとえば、ＰＨＯＴＯボタン３２やＵＳＢ通信開始ボタン３３）並びにいくつかの表示灯（たとえば、チャージランプ３４やＵＳＢ通信ランプ３５）が設けられており、クレードル２９にデジタルカメラ１０をセットした状態でＰＨＯＴＯボタン３２を押すと、デジタルカメラ１０でスライドショーが行われるようになっている。また、クレードル２９にデジタルカメラ１０をセットした状態でＵＳＢ通信開始ボタン３３を押すと、ＵＳＢプロトコルを利用して、不図示のパーソナルコンピュータからデジタルカメラ１０（詳細にはデジタルカメラ１０の内部に設けられている外部メモリ２８）をアクセスできるようになっている。なお、チャージランプ３４はデジタルカメラ１０のバッテリ２７が充電されている間、赤色に点灯し、また、ＵＳＢ通信ランプ３５は、パーソナルコンピュータ３７（図３参照）との間でＵＳＢ通信を行っている間、緑色に点灯する。
【００１７】
図３は、クレードル２９とＡＣアダプタ３６及びパーソナルコンピュータ３７との接続状態図である。クレードル２９の背面には、ＤＣ入力端子３８とＵＳＢ端子３９が設けられている。壁面等のコンセント４０に差し込まれたＡＣアダプタ３６から延びるケーブル４１のジャック４２を上記のＤＣ入力端子３８に差し込むことにより、そのＡＣアダプタ３６で作られた所定電流且つ所定電圧の外部電源ＤＣｉｎを、クレードル２９のコネクタ３１を介してデジタルカメラ１０に供給できるようになっている。
【００１８】
また、クレードル２９のＵＳＢ端子３９と、パーソナルコンピュータ３７のＵＳＢポート４３との間をＵＳＢケーブル４４で接続することにより、上記のとおり、クレードル２９にセットされたデジタルカメラ１０とパーソナルコンピュータ３７との間でＵＳＢ通信を行い、このＵＳＢ通信により、撮影済みの画像をパーソナルコンピュータ３７に転送することができるようになっている。
【００１９】
なお、ＵＳＢ（Universal Serial Bus）とは、パーソナルコンピュータと周辺機器を接続するための汎用インタフェースのことをいう。ＵＳＢ対応の周辺機器は、パーソナルコンピュータの電源を入れたままでも抜き差しが可能で、且つ、設定等を自動的に行えることが特徴である。マウスやキーボード等の低速機器向けのロースピードモード（転送速度１．５Ｍｂｐｓ）とハードディスクなどの高速機器向けのフルスピードモード（１２Ｍｂｐｓ／ＵＳＢ２．０規格では４８０Ｍｂｐｓ）とがある。
【００２０】
図４は、デジタルカメラ１０の内部ブロック図である。この図において、デジタルカメラ１０は、機能別に、撮像系４５、制御系４６、画像記憶系４７、表示系４８、操作系４９及び電源系５０などに分類することができる。
【００２１】
これらの系毎に説明すると、撮像系４５は、ボディ前面のレンズ鏡筒１２に収められたズーム機能及びオートフォーカス機能付の撮影レンズ群５１と、この撮影レンズ群５１を通過した被写体像を二次元の画像信号に変換するＣＣＤ（Charge Coupled Devices）やＣＭＯＳ（Complementary Metal Oxide Semiconductor）などからなる電子撮像部５２と、この電子撮像部５２からの画像信号に対して所要の画像処理を施す画像処理部５３と、画像処理後の画像信号を一時的に記臆する画像メモリ５４とを備えるとともに、レンズ鏡筒１２の不図示のフォーカス機構を駆動するフォーカス駆動部５５と、同ズーム機構を駆動するズーム駆動部５６と、ボディ前面のストロボ発光窓１３に設けられたストロボ発光部５７と、このストロボ発光部５７を駆動するストロボ駆動部５８と、これらの各部（電子撮像部５２、画像処理部５３、フォーカス駆動部５５、ズーム駆動部５６、ストロボ駆動部５８）を制御するための撮影制御部５９とを備える。
【００２２】
制御系４６は、上記の各系を制御してデジタルカメラ１０の動作を集中的にコントロールするＣＰＵ６０と、このＣＰＵ６０の動作に必要な各種制御プログラムやデータ等を不揮発的に記憶するプログラムメモリ６１と、カメラボディ１１の底面に設けられているクレードル接続端子２５及びクレードル２９を介して、外部機器（たとえば、図３のパーソナルコンピュータ３７）との間でＵＳＢ規格のデータ入出力を行う外部インターフェース部６２とを備える。
【００２３】
画像記憶系４７は、メモリインターフェース部６３と、このメモリインターフェース部６３に着脱可能に接続される外部メモリ２８とを備える。表示系４８は、ＣＰＵ６０から適宜に出力される表示データを一時的に保持するビデオメモリ（ＶＲＡＭ６４）を含む表示制御部６５と、表示制御部６５の出力信号を可視化して表示する液晶モニタ２４とを備える。
【００２４】
操作系４９は、カメラボディ１１の各部に設けられた様々な操作ボタン類、すなわち、シャッターボタン１６、撮影モード／再生モード切り換えスイッチ１８、ズーム操作兼再生表示モード切替スイッチ１９、ＭＥＮＵボタン２０、上下左右方向移動ボタン２１、ＳＥＴボタン２２、ＤＩＳＰボタン２３を含む操作入力部６６と、この操作入力部６６からの操作信号をＣＰＵ６０に入力するための入力回路６７とを備える。
【００２５】
電源系５０は、電源部６８とバッテリ２７とを備える。この電源系５０は、デジタルカメラ１０が携帯使用（クレードル２９にセットされない状態で使用）されているときには、バッテリ２７からの電力を用いて、このデジタルカメラ１０の各部の動作に必要な内部電源電圧を電源部６８で生成出力する。一方、このデジタルカメラ１０が固定使用（クレードル２９にセットされた状態で使用）されているときには、バッテリ２７の電力またはＡＣアダプタ３６からの電力（ＤＣｉｎ）の一方を用いて、このデジタルカメラ１０の各部の動作に必要な内部電源電圧を電源部６８で生成出力する。ただし、クレードル２９にＡＣアダプタ３６がつながっている場合は、バッテリ２７の電力ではなく、ＡＣアダプタ３６からの電力（ＤＣｉｎ）を用いて、このデジタルカメラ１０の各部の動作に必要な内部電源電圧を電源部６８で生成出力する。つまり、バッテリ２７の消耗を回避するために、ＡＣアダプタ３６からの外部電源ＤＣｉｎを優先使用するようになっている。
【００２６】
ここで、バッテリ２７の充電について概説する。
本実施形態の電源系５０は、デジタルカメラ１０をクレードル２９にセットしている状態で且つデジタルカメラ１０が非動作状態にある間、ＡＣアダプタ３６からの外部電源ＤＣｉｎを用いてバッテリ２７を充電する点で冒頭の従来技術と共通する。しかしながら、従来技術では、クレードル２９にセットしたデジタルカメラ１０で任意の動作（たとえば、スライドショー等）を実行している間はバッテリ２７の充電を中止していたが、本実施形態では、当該動作を実行しつつも、バッテリ２７の充電を継続して行うようにした点で相違する。
【００２７】
図５は、電源部６８の概念的な構成図である。この図において、電源部６８は、外部電源入力判定部６９、充電制御部７０、内部電源電圧生成部７１、テーブル７２、カメラ動作判定部７３及びバッテリ充電電流計算部７４を含む。
【００２８】
外部電源入力判定部６９は、外部電源ＤＣｉｎの有無を判定し、その判定結果を示す信号（外部電源入力判定信号Ｈ１）を充電制御部７０に出力する。この外部電源入力判定信号Ｈ１は、外部電源ＤＣｉｎ「有」のときにアクティブとなり、外部電源ＤＣｉｎ「無」のときにインアクティブとなるものとする。ただし、外部電源ＤＣｉｎ「有」とは、外部電源ＤＣｉｎの電圧値や電流値が所定の許容範囲（ＡＣアダプタ３６の出力電圧及び出力電流の許容範囲）に収まっている状態のことをいい、外部電源ＤＣｉｎ「無」とは、ＤＣｉｎ＝０ＶまたはＤＣｉｎが同許容範囲に収まっていない状態のことをいう。ここで、説明の便宜上、ＡＣアダプタ３６の出力電流を５５０ｍＡ、出力電圧を５Ｖとする。
【００２９】
充電制御部７０は、外部電源入力判定信号Ｈ１がアクティブのとき、すなわち、外部電源ＤＣｉｎ「有」のときに、この外部電源ＤＣｉｎを選択して内部電源電圧生成部７１に出力する一方、外部電源入力判定信号Ｈ１がインアクティブのとき、すなわち、外部電源ＤＣｉｎ「無」のときに、バッテリ２７の電圧（以下、Ｖｂａｔ）を選択して内部電源電圧生成部７１に出力する。
加えて、この充電制御部７０は、バッテリ充電電流計算部７４で計算されたバッテリ充電電流量を示す信号（バッテリ充電電流信号Ｈ２）に従って、バッテリ２７の充電電流制御を行う。
【００３０】
バッテリ２７の充電電流制御の要点は、（１）デジタルカメラ１０の非動作中は外部電源ＤＣｉｎのほぼ全電流を利用してバッテリ２７の充電を行い、一方、（２）デジタルカメラ１０の動作中、たとえば、スライドショーの実行中は、外部電源ＤＣｉｎの全電流からスライドショーに必要な電流を引いた残りの電流でバッテリ２７の充電を行うことにある。
【００３１】
内部電源電圧生成部７１は、充電制御部７０で選択された外部電源ＤＣｉｎまたはバッテリ電圧Ｖｂａｔから、デジタルカメラ１０の各部（電子撮像部５２、画像処理部５３、フォーカス駆動部５５、ズーム駆動部５６、ストロボ駆動部５８）の動作に必要な内部電源電圧を生成して出力する。
【００３２】
テーブル７２は、デジタルカメラ１０の動作種別（スライドショー等の画像の連続再生、画像の単独再生及び画像転送など）毎の消費電流量を保持したものであり、たとえば、半導体メモリ等の記憶要素またはディップスイッチ等の機械的なデータ保持要素で構成されている。
【００３３】
図６は、テーブル７２の一例概念図である。このテーブル７２は、デジタルカメラ１０の主要なブロック（比較的消費電流の大きいブロック）、たとえば、ＣＰＵ６０、液晶モニタ２４、プログラムメモリ６１など（また、テレビ放送受信機能付きの携帯型電子機器の場合であれば、それらに加えて受信チューナなど）ごとの消費電流量を網羅し、且つ、動作種別毎の合計消費電流量を保持しており、図示の例においては、ファイル転送実行時の合計消費電流量として３５０ｍＡ、スライドショー実行時の合計消費電流量として２００ｍＡ、テレビ視聴実行時の合計消費電流量として４５０ｍＡという値を保持している。
【００３４】
ここで、これらの合計消費電流量は、いうまでもなく説明上の便宜値に過ぎない。重要な点は、いずれの合計消費電流量もＡＣアダプタ３６のＡＣアダプタ３６の出力電流（５５０ｍＡ）よりも少ない値になっていることにある。これは、ＡＣアダプタ３６の出力電流（５５０ｍＡ）から、それらの合計消費電流量を引いたときに、幾ばくかの残余電流を生じさせるためである。後述のバッテリ充電電流計算部７４は、この残余電流の値をバッテリ充電電流量を示す信号（バッテリ充電電流信号Ｈ２）として出力する。
【００３５】
カメラ動作判定部７３は、ＣＰＵ６０から適宜に出力される動作モード信号（実行中の動作種別を表す信号）に従い、上記のテーブル７２を参照して当該動作モードに対応した合計消費電流量をルックアップし、この合計消費電流量（以下、Ｐａ）をバッテリ充電電流計算部７４に出力する。
【００３６】
バッテリ充電電流計算部７４は、ＡＣアダプタ３６の仕様上の出力電流（前記の例示によれば５５０ｍＡ；以下、Ｐｂ）から上記のＰａ（動作モードに対応してテーブル７２からルックアップされた合計消費電流量）を引いた残りの電流値（以下、Ｐｃ）を求め、そのＰｃをバッテリ充電電流信号Ｈ２として充電制御部７０に出力する。
【００３７】
このような構成を有する電源部６８は、以下の動作を行うことができる。
図７は、電源部６８の動作フローチャートを示す図である。このフローチャートにおいて、デジタルカメラ１０をクレードル２９に載置すると、まず、外部電源入力判定部６９で外部電源ＤＣｉｎの有無を判定する（ステップＳ１）。
【００３８】
そして、外部電源ＤＣｉｎ「有」であれば、その外部電源ＤＣｉｎを用いてバッテリ２７の充電を開始し（ステップＳ２）、次いで、カメラ動作開始であるか否かを判定する（ステップＳ３）。“カメラ動作”とは、クレードル２９に載置したままのデジタルカメラ１０で、たとえば、画像伝送やスライドショー等が行われることをいう。
【００３９】
カメラが動作していない場合は、バッテリ２７の満充電を判定し（ステップＳ４）、満充電であれば、バッテリ２７の充電を終了（ステップＳ５）して最初のステップＳ１に復帰する一方、満充電でなければ、カメラ動作開始の判定（ステップＳ３）以降を繰り返す。
【００４０】
さて、カメラ動作開始の判定（ステップＳ３）結果がＹＥＳの場合は、まず、カメラの動作種別に応じた合計消費電流量（Ｐａ）をテーブル７２からルックアップする（ステップＳ６）。ここで、説明の便宜上、ルックアップされたＰａを３５０ｍＡと仮定する。
【００４１】
次いで、Ｐｃ＝Ｐｂ−Ｐａを計算する。つまり、外部電源ＤＣｉｎの電流（Ｐｂ）から上記のＰａを引いた残りの電流（Ｐｃ）を計算する（ステップＳ７）。そして、その計算によって得られた残余の電流（Ｐｃ）をバッテリ２７の充電にまわして充電を継続しつつ（ステップＳ８）、再び、バッテリ満充電判定（ステップＳ４）以降を繰り返す。
【００４２】
以上のとおりであるから、本実施形態のデジタルカメラ１０においては、以下の特有の効果が得られる。
まず、ＡＣアダプタ３６が接続されたクレードル２９にデジタルカメラ１０をセットすると、従来と同様に、ＡＣアダプタ３６からの外部電源ＤＣｉｎを用いてデジタルカメラ１０のバッテリ２７が充電される。
【００４３】
この状態で、デジタルカメラ１０で任意の動作（たとえば、スライドショー）を実行すると、その動作に必要な内部電源電圧の合計消費電流量（Ｐａ）が外部電源ＤＣｉｎの出力電流（Ｐｂ）で賄われると共に、Ｐｂ−Ｐａの残余の電流（Ｐｃ）、たとえば、Ｐａ＝３５０ｍＡ、Ｐｂ＝５５０ｍＡとすれば、Ｐｃ＝２００ｍＡがバッテリ２７の充電に振り向けられる。
【００４４】
したがって、本実施形態にあっては、クレードル載置状態で、たとえば、スライドショーを行っている最中であっても、上記のＰｃを用いてバッテリ２７の充電を継続することができる。このため、バッテリ２７の充電時間を短縮することができ、携帯用電子機器としての利便性（すぐに持ち出して使用できる）を阻害しないという格別な効果が得られる。
【００４５】
なお、本発明は、以上の実施形態に限定されず、その技術思想の範囲内において様々な変形例や発展例を包含することはもちろんである。
たとえば、上記の実施形態では、デジタルカメラ１０への適用を例にしたが、デジタルカメラ以外の携帯型電子機器であってもよい。すなわち、クレードルのような充電用載置台または充電兼用載置台にセットして使用される携帯型電子機器であればよく、このような携帯型電子機器としては、たとえば、携帯テレビ、携帯型画像再生装置、画像再生機能付き携帯電話機、携帯情報端末、携帯型小型パーソナルコンピュータ等の携帯型電子機器などが考えられる。
【００４６】
また、クレードル載置中に実行されるデジタルカメラ１０の動作は、上記のスライドショーのみならず、パーソナルコンピュータ３７との間で行われる画像ファイル等のデータ転送またはその他の動作、たとえば、携帯型テレビであればテレビジョン放送受信動作、携帯電話機であれば待ち受け動作、携帯情報端末や携帯型小型パーソナルコンピュータであれば、任意ソフトウェアの実行動作であってもよい。
【図面の簡単な説明】
【００４７】
【図１】本実施形態のデジタルカメラ１０の正面図及び背面図である。
【図２】デジタルカメラ１０とクレードル２９との接続状態図である。
【図３】クレードル２９とＡＣアダプタ３６及びパーソナルコンピュータ３７との接続状態図である。
【図４】デジタルカメラ１０の内部ブロック図である。
【図５】電源部６８の概念的な構成図である。
【図６】テーブル７２の一例概念図である。
【図７】電源部６８の動作フローチャートを示す図である。
【符号の説明】
【００４８】
ＤＣｉｎ  外部電源
１０  デジタルカメラ（携帯型電子機器）
２７  バッテリ
６８  電源部（第１判定手段、第２判定手段、バッテリ充電手段）
７０  充電制御部（バッテリ充電手段）
７１  外部電源入力判定部（第１判定手段）
７３  カメラ動作判定部（第２判定手段）
【図１】
2007209055.tif 000003
【図２】
2007209055.tif 000004
【図３】
2007209055.tif 000005
【図４】
2007209055.tif 000006
【図５】
2007209055.tif 000007
【図６】
2007209055.tif 000008
【図７】
2007209055.tif 000009